(57)【要約】  傾斜して湾曲した溝を含む、隣接した媒体上の溝に断続的に接触するように配置された、オフセットされた溝を有する溝付き濾過媒体を含む、濾過媒体、媒体パック、及び濾過要素が記載される。交互に密封された溝を備えた溝付き媒体を含む、交互に密封された襞縁部を備えた襞付き濾過媒体も開示される。媒体パックは、媒体の第１のシート及び媒体の第２のシートを有することができる。媒体の第１のシートは、媒体パックの第１の面と第２の面との間に延在する、第１の溝谷部を画定する第１の複数の溝を有することができる。媒体の第２のシートは、媒体パックの第１の面と第２の面との間に延在する、第２の溝頂部を画定する第２の複数の溝を有することができる。第１の複数の溝は第２の複数の溝に非平行であることが可能であり、各第１の溝谷部は離散接触点で１つの第２の溝頂部に接触する。
2020531242.tif 000002
【特許請求の範囲】
【請求項１】
濾過媒体パックであって、
濾過媒体の第１のシートであって、前記濾過媒体の第１のシートは、前記媒体パックの第１の面と前記媒体パックの第２の面との間に延在する、第１の溝谷部を画定する第１の複数の平行な溝を含む、濾過媒体の第１のシートと、
濾過媒体の第２のシートであって、前記濾過媒体の第２のシートは、前記媒体パックの前記第１の面と前記媒体パックの前記第２の面との間に延在する、第２の溝頂部を画定する第２の複数の平行な溝を含み、各第１の溝谷部は、離散接触点で１つの第２の溝頂部に接触し、前記第１の複数の溝は前記第２の複数の溝と非平行である、濾過媒体の第２のシートと、
前記濾過媒体の第１のシート及び前記濾過媒体の第２のシートを通って平行に延在する流体経路を画定するために、前記濾過媒体の第１のシートと前記濾過媒体の第２のシートとの間の障害物とを含む、濾過媒体パック。
【請求項２】
少なくとも１つの第１の溝谷部は、２つの第２の溝頂部に接触する、請求項１又は３〜２６のいずれか一項に記載の濾過媒体パック。
【請求項３】
少なくとも１つの第１の溝谷部は、３つの第２の溝頂部に接触する、請求項１又は２又は４〜２６のいずれか一項に記載の濾過媒体パック。
【請求項４】
少なくとも１つの第１の溝谷部は、４つの第２の溝頂部に接触する、請求項１〜３又は５〜２６のいずれか一項に記載の濾過媒体パック。
【請求項５】
少なくとも１つの第１の溝谷部は、４つの第２の溝頂部に接触するが、９つ以下の第２の溝頂部に接触する、請求項１〜４又は６〜２６のいずれか一項に記載の濾過媒体パック。
【請求項６】
前記第１の複数の溝及び前記第２の複数の平行な溝のそれぞれは、前記媒体パックの前記第１の面及び前記第２の面に垂直ではない、請求項１〜５又は７〜２６のいずれか一項に記載の濾過媒体パック。
【請求項７】
前記第１の複数の溝は、前記第２の複数の溝に対して少なくとも５度だけオフセットされる、請求項１〜６又は８〜２６のいずれか一項に記載の濾過媒体パック。
【請求項８】
前記第１の複数の溝は、前記第２の複数の溝に対して少なくとも１０度だけオフセットされる、請求項１〜７又は９〜２６のいずれか一項に記載の濾過媒体パック。
【請求項９】
前記第１の複数の溝は、前記第２の複数の溝に対して少なくとも２０度だけオフセットされる、請求項１〜８又は１０〜２６のいずれか一項に記載の濾過媒体パック。
【請求項１０】
前記第１の複数の溝は実質的に真っ直ぐである、請求項１〜９又は１１〜２６のいずれか一項に記載の濾過媒体パック。
【請求項１１】
前記第２の複数の溝は実質的に真っ直ぐである、請求項１〜１０又は１２〜２６のいずれか一項に記載の濾過媒体パック。
【請求項１２】
前記第１の複数の溝のそれぞれは、前記媒体パックの前記第１の面と前記第２の面との間に湾曲を画定する、請求項１〜１１又は１３〜２６のいずれか一項に記載の濾過媒体パック。
【請求項１３】
前記第１の複数の溝内の溝の頂部の前記湾曲は、前記頂部に前記溝の各端部で接合する軸から外方に前記溝の長さの少なくとも５％だけ延在する、請求項１〜１２又は１４〜２６のいずれか一項に記載の濾過媒体パック。
【請求項１４】
前記第１の複数の溝内の溝の頂部の前記湾曲は、前記頂部に前記溝の各端部で接合する軸から外方に前記溝の長さの少なくとも１０％だけ延在する、請求項１〜１３又は１５〜２６のいずれか一項に記載の濾過媒体パック。
【請求項１５】
前記第１の複数の溝内の溝の頂部の前記湾曲は、前記頂部に前記溝の各端部で接合する軸から外方に前記溝の長さの少なくとも２０％だけ延在する、請求項１〜１４又は１６〜２６のいずれか一項に記載の濾過媒体パック。
【請求項１６】
前記第２の複数の溝は湾曲している、請求項１〜１５又は１７〜２６のいずれか一項に記載の濾過媒体パック。
【請求項１７】
前記第１の複数の溝は第１の湾曲を形成し、前記第２の複数の溝は第２の湾曲を形成し、前記第１の湾曲は、前記第２の湾曲の屈曲ピッチの反対側に前記屈曲ピッチを有する、請求項１〜１６又は１８〜２６のいずれか一項に記載の濾過媒体パック。
【請求項１８】
前記濾過媒体の第１のシート及び前記濾過媒体の第２のシートは連続しており、折り目によって分離される、請求項１〜１７又は１９〜２６のいずれか一項に記載の濾過媒体パック。
【請求項１９】
前記第１の媒体シート及び前記第２の媒体シートは、巻き付けた断面を備えた円筒状媒体パックを画定する、請求項１〜１８又は２０〜２６のいずれか一項に記載の濾過媒体パック。
【請求項２０】
前記第１の媒体シート及び前記第２の媒体シートは不連続である、請求項１〜１９又は２１〜２６のいずれか一項に記載の濾過媒体パック。
【請求項２１】
前記第１の媒体シート及び前記第２の媒体シートは、巻き付けた断面を備えた円筒状媒体パックを画定する、請求項１〜２０又は２２〜２６のいずれか一項に記載の濾過媒体パック。
【請求項２２】
前記障害物は、前記第１の媒体シートと前記第２の媒体シートとの間の接着ビードである、請求項１〜２１又は２３〜２６のいずれか一項に記載の濾過媒体パック。
【請求項２３】
前記濾過媒体パックは、少なくとも約４０溝／インチ２の溝の密度を提示する、請求項１〜２２又は２４〜２６のいずれか一項に記載の濾過媒体パック。
【請求項２４】
前記媒体パックは、前記媒体パックの上流容積が下流容積より少なくとも１０％大きいように非対称の容積配置を有する、請求項１〜２３又は２５又は２６のいずれか一項に記載の濾過媒体パック。
【請求項２５】
前記媒体パックは、前記媒体パックの片側の容積が前記媒体パックの別の側の容積より少なくとも３０％大きいように非対称の容積配置を有する、請求項１〜２４又は２６のいずれか一項に記載の濾過媒体パック。
【請求項２６】
前記媒体パックの周辺に延在するシール部材を更に含む、請求項１〜２５のいずれか一項に記載の濾過媒体パックを含む濾過要素。
【請求項２７】
襞付き濾過媒体パックであって、
濾過媒体であって、前記濾過媒体が濾過媒体の複数のシートを画定するために第１の組の襞折り目と第２の組の襞折り目との間に延在するように、前記媒体パックの入口面を形成する前記第１の組の襞折り目及び前記媒体パックの出口面を形成する前記第２の組の襞折り目を有する濾過媒体と、
前記濾過媒体のシートのそれぞれによって画定された複数の溝であって、前記溝のそれぞれは、前記媒体パックの前記入口面と前記出口面との間に延在する、複数の溝とを含み、
前記濾過媒体のシートは、前記媒体パックの前記入口面から前記媒体パックの前記出口面に延在する襞端部を有し、前記襞端部は第１の側面及び第２の側面を画定し、前記第１の側面及び前記第２の側面は互いに対向し、
前記入口面は前記出口面と実質的に平行であり、
前記第１の側面は前記第２の側面と実質的に平行であり、
前記第１の側面は前記入口面と９０°未満の角度で交差する、襞付き濾過媒体パック。
【請求項２８】
濾過媒体のシートによって画定された前記複数の溝は平行である、請求項２７又は２９〜４２のいずれか一項に記載の襞付き濾過媒体パック。
【請求項２９】
濾過媒体の第１のシートによって画定された第１の複数の溝は、濾過媒体の隣接した第２のシートによって画定された第２の複数の溝に非平行である、請求項２７又は２８又は３０〜４２のいずれか一項に記載の襞付き濾過媒体パック。
【請求項３０】
前記第１の複数の溝のそれぞれは、前記媒体パックの前記入口面と前記出口面との間に延在する第１の溝頂部を画定し、前記第２の複数の溝のそれぞれは、前記媒体パックの前記入口面と前記出口面との間に延在する第２の溝頂部を画定し、各第１の溝頂部は離散点で１つの第２の溝頂部に接触する、請求項２７〜２９又は３１〜４２のいずれか一項に記載の襞付き濾過媒体パック。
【請求項３１】
少なくとも１つの第１の溝頂部は、２つの第２の溝谷部に接触する、請求項２７〜３０又は３２〜４２のいずれか一項に記載の襞付き濾過媒体パック。
【請求項３２】
少なくとも１つの第１の溝頂部は、３つの第２の溝谷部に接触する、請求項２７〜３１又は３３〜４２のいずれか一項に記載の襞付き濾過媒体パック。
【請求項３３】
少なくとも１つの第１の溝頂部は、４つの第２の溝谷部に接触する、請求項２７〜３２又は３４〜４２のいずれか一項に記載の襞付き濾過媒体パック。
【請求項３４】
少なくとも１つの第１の溝頂部は、２つの第２の溝谷部に接触するが、９つ以下の第２の溝谷部に接触する、請求項２７〜３３又は３５〜４２のいずれか一項に記載の襞付き濾過媒体パック。
【請求項３５】
前記第１の複数の溝は、前記第２の複数の溝に対して少なくとも５度だけ角度オフセットされる、請求項２７〜３４又は３６〜４２のいずれか一項に記載の襞付き濾過媒体パック。
【請求項３６】
前記第１の複数の溝は、前記第２の複数の溝に対して少なくとも１０度だけ角度オフセットされる、請求項２７〜３５又は３７〜４２のいずれか一項に記載の襞付き濾過媒体パック。
【請求項３７】
前記第１の複数の溝は、前記第２の複数の溝に対して少なくとも２０度だけ角度オフセットされる、請求項２７〜３６又は３８〜４２のいずれか一項に記載の襞付き濾過媒体パック。
【請求項３８】
前記第１の複数の溝は実質的に真っ直ぐである、請求項２７〜３７又は３９〜４２のいずれか一項に記載の襞付き濾過媒体パック。
【請求項３９】
前記第２の複数の溝は実質的に真っ直ぐである、請求項２７〜３８又は４０〜４２のいずれか一項に記載の襞付き濾過媒体パック。
【請求項４０】
前記媒体パックは、前記媒体パックの片側の容積が、前記媒体パックの別の側の容積より少なくとも１０％大きいように非対称の容積配置を有する、請求項２７〜３９又は４１又は４２のいずれか一項に記載の襞付き濾過媒体パック。
【請求項４１】
前記媒体パックは、前記媒体パックの片側の容積が、前記媒体パックの別の側の容積より少なくとも５０％大きいように非対称の容積配置を有する、請求項２７〜４０又は４２のいずれか一項に記載の襞付き濾過媒体パック。
【請求項４２】
前記媒体パックの周辺に延在するシール部材を更に含む、請求項２７〜４１のいずれか一項に記載の濾過媒体パックを含む襞付き濾過要素。
【発明の詳細な説明】
【技術分野】
【０００１】
本出願は、すべての国の指定の出願人、Ｄｏｎａｌｄｓｏｎ  Ｃｏｍｐａｎｙ，  Ｉｎｃ．（米国企業）、及びすべての国の指定の発明者、Ｓｃｏｔｔ  Ｍ．  Ｂｒｏｗｎ（米国市民）の名のもとに２０１８年８月１４日にＰＣＴ国際特許出願として出願され、２０１７年８月２２に出願された米国仮特許出願第６２／５４８，６３９号明細書の優先権を主張し、その内容は全体が参照によって本明細書に組み込まれる。
【０００２】
本開示は、濾過媒体、濾過媒体パック、及び濾過要素を対象とする。具体的には、本開示は、溝を含有する濾過媒体、並びに溝を含有する濾過媒体と共に形成された濾過媒体パック及び要素を対象とする。
【背景技術】
【０００３】
気体及び液体などの流体ストリームは、しばしば汚染物質を運ぶ。多くの場合、流体ストリームから汚染物質の一部又は全てを濾過することが望ましい。例えば自動車用又は発電装置用のエンジンへの空気流ストリーム、ガスタービンシステムへのガスストリーム、及び様々な燃焼炉への空気ストリームは、典型的には空気流を車両、タービン、又は燃焼炉に送達する前に取り除くべき粒子汚染物を運ぶ。又エンジン潤滑システム、油圧システム、冷却システム、及び燃料システム内の液体ストリームも、液体ストリームから取り除くべき汚染物をしばしば運ぶ。このようなシステムは、選択された汚染物質が気体又は液体流体から取り除かれる（若しくはその基準を低減させる）ことが望ましい。種々の流体濾過配置が汚染低減のために開発されてきた。しかし概ね引き続き改善が求められている。
【発明の概要】
【課題を解決するための手段】
【０００４】
現行の技術は濾過媒体パックに関する。濾過媒体パックは、濾過媒体の第１のシート及び濾過媒体の第２のシートを有する。濾過媒体の第１のシートは、媒体パックの第１の面と媒体パックの第２の面との間に延在する第１の溝谷部を画定する第１の複数の平行な溝を有する。濾過媒体の第２のシートは、媒体パックの第１の面と媒体パックの第２の面との間に延在する第２の溝頂部を画定する第２の複数の平行な溝を有する。第１の複数の溝は、第２の複数の溝に非平行である。各第１の溝谷部は、離散接触点で１つの第２の溝頂部に接触する。濾過媒体の第１のシートと濾過媒体の第２のシートとの間の障害物は、濾過媒体の第１のシート及び濾過媒体の第２のシートを通って平行に延在する流体経路を画定する。
【０００５】
一部の実施形態では、少なくとも１つの溝谷部は、２つの第２の溝頂部に接触する。一部の実施形態では、少なくとも１つの第１の溝谷部は、３つの第２の溝頂部に接触する。一部の実施形態では、少なくとも１つの第１の溝谷部は、４つの第２の溝頂部に接触する。一部の実施形態では、少なくとも１つの第１の溝谷部は、４つの第２の溝頂部に接触するが、９つ以下の第２の溝頂部に接触する。
【０００６】
追加として又は別法として、第１の複数の溝及び第２の複数の平行な溝のそれぞれは、媒体パックの第１の面及び第２の面に垂直ではない。追加として又は別法として、第１の複数の溝は、第２の複数の溝に対して少なくとも５度だけオフセットされる。追加として又は別法として、第１の複数の溝は、第２の複数の溝に対して少なくとも１０度だけオフセットされる。追加として又は別法として、第１の複数の溝は、第２の複数の溝に対して少なくとも２０度だけオフセットされる。追加として又は別法として、第１の複数の溝は実質的に真っ直ぐである。追加として又は別法として、第２の複数の溝は実質的に真っ直ぐである。
【０００７】
追加として又は別法として、第１の複数の溝のそれぞれは、媒体パックの第１の面と第２の面との間に湾曲を画定する。追加として又は別法として、第１の複数の溝内の溝の頂部の湾曲は、溝の各端部で頂部に接合する軸から外方に溝の長さの少なくとも５％だけ延在する。追加として又は別法として、第１の複数の溝内の溝の頂部の湾曲は、溝の各端部で頂部に接合する軸から外方に溝の長さの少なくとも１０％だけ延在する。追加として又は別法として、第１の複数の溝内の溝の頂部の湾曲は、溝の各端部で頂部に接合する軸から外方に溝の長さの少なくとも２０％だけ延在する。
【０００８】
追加として又は別法として、第２の複数の溝は湾曲している。追加として又は別法として、第１の複数の溝は第１の湾曲を形成し、第２の複数の溝は第２の湾曲を形成し、第１の湾曲は第２の湾曲の屈曲ピッチの反対側に屈曲ピッチを有する。追加として又は別法として、濾過媒体の第１のシート及び濾過媒体の第２のシートは連続しており、折り目によって分離される。追加として又は別法として、第１の媒体シート及び第２の媒体シートは、巻き付けた断面を備えた円筒状媒体パックを画定する。追加として又は別法として、第１の媒体シート及び第２の媒体シートは不連続である。追加として又は別法として、第１の媒体シート及び第２の媒体シートは、巻き付けた断面を備えた円筒状媒体パックを画定する。追加として又は別法として、障害物は、第１の媒体シートと第２の媒体シートとの間の接着ビードである。追加として又は別法として、濾過媒体パックは少なくとも約４０溝／インチ２の溝の密度を提示する。
【０００９】
追加として又は別法として、媒体パックは、媒体パックの上流容積が下流容積より少なくとも１０％大きいように非対称の容積配置を有する。追加として又は別法として、媒体パックは、媒体パックの片側の容積が媒体パックの別の側の容積より少なくとも３０％大きいように非対称の容積配置を有する。追加として又は別法として、媒体パックは、媒体パックの周辺に延在するシール部材を有する。
【００１０】
現行の技術の一部の実施形態は、濾過媒体が濾過媒体の複数のシートを画定するために第１の組の襞折り目と第２の組の襞折り目との間に延在するように、媒体パックの入口面を形成する第１の組の襞折り目及び媒体パックの出口面を形成する第２の組の襞折り目を有する、濾過媒体を有する襞付き濾過媒体パックに関する。複数の溝は濾過媒体の各シートによって画定され、この場合、各溝は媒体パックの入口面と出口面との間に延在する。濾過媒体のシートは、媒体パックの入口面から媒体パックの出口面に延在する襞端部を有する。襞端部は第１の側面及び第２の側面を画定し、この場合、第１の側面及び第２の側面は互いに対向する。このような実施形態では、入口面は出口面と実質的に平行であり、第１の側面は第２の側面と実質的に平行であるが、第１の側面は入口面と９０°未満の角度で交差する。
【００１１】
一部のこのような実施形態では、濾過媒体のシートによって画定された複数の溝は平行である。追加として又は別法として、濾過媒体の第１のシートによって画定された第１の複数の溝は、濾過媒体の隣接した第２のシートによって画定された第２の複数の溝に非平行である。
【００１２】
一部の実施形態では、第１の複数の溝のそれぞれは、媒体パックの入口面と出口面との間に延在する第１の溝頂部を画定し、第２の複数の溝のそれぞれは、媒体パックの入口面と出口面との間に延在する第２の溝頂部を画定し、各第１の溝頂部は離散点で１つの第２の溝頂部に接触する。追加として又は別法として、少なくとも１つの第１の溝頂部は、２つの第２の溝谷部に接触する。追加として又は別法として、少なくとも１つの第１の溝頂部は、３つの第２の溝谷部に接触する。追加として又は別法として、少なくとも１つの第１の溝頂部は、４つの第２の溝谷部に接触する。追加として又は別法として、少なくとも１つの第１の溝頂部は、２つの第２の溝谷部に接触するが、９つ以下の第２の溝谷部に接触する。
【００１３】
追加として又は別法として、第１の複数の溝は、第２の複数の溝に対して少なくとも５度だけ角度オフセットされる。追加として又は別法として、第１の複数の溝は、第２の複数の溝に対して少なくとも１０度だけ角度オフセットされる。追加として又は別法として、第１の複数の溝は、第２の複数の溝に対して少なくとも２０度だけ角度オフセットされる。追加として又は別法として、第１の複数の溝は実質的に真っ直ぐである。追加として又は別法として、第２の複数の溝は実質的に真っ直ぐである。
【００１４】
追加として又は別法として、媒体パックは、媒体パックの片側の容積が媒体パックの別の側の容積より少なくとも１０％大きいように非対称の容積配置を有する。追加として又は別法として、媒体パックは、媒体パックの片側の容積が媒体パックの別の側の容積より少なくとも５０％大きいように非対称の容積配置を有する。追加として又は別法として、媒体パックは、媒体パックの周辺に延在するシール部材を有する。他の実施形態も開示されている。
【００１５】
本技術の上記の概要は、本技術の開示された実施形態のそれぞれを記載することを意図するものではない。これが詳細な記載及び続く特許請求の範囲の目的である。
【００１６】
濾過媒体、媒体パック、及び要素は、添付図面に関連して本技術の様々な実施形態の以下の詳細な記載を鑑みてより完全に理解することができる。
【図面の簡単な説明】
【００１７】
【図１】実装形態に従って構築されて配置された、濾過要素の斜視図である。
【図２】実装形態に従って構築されて配置された、濾過媒体の第１のシートの斜視図である。
【図３】実装形態に従って構築されて配置された、濾過媒体の第２のシートの斜視図である。
【図４】第２の媒体シートの上部に第１の媒体シートが積層され、第２の媒体シートが部分的に破線で示された、図２及び図３の濾過媒体の第１及び第２のシートの斜視図である。
【図５】実装形態に従って構築されて配置された、濾過媒体の別の例示的第１の溝付きシートの斜視図である。
【図６】実装形態に従って構築されて配置された、濾過媒体の別の例示的第２の溝付きシートの斜視図である。
【図７】第４の媒体シートの上部に第３の媒体シートが積層され、第４の媒体シートが部分的に破線で示された、図６及び図６の第３及び第４の溝付き媒体シートの斜視図である。
【図８】本明細書に開示された技術と一致する別の例示的濾過要素の斜視図である。
【図９】実装形態に従って構築されて配置された溝付き媒体のウェブの平面図であり、ウェブは濾過媒体パックを形成するためのものである。
【図１０】刻み目を付けて部分的に折り畳んだ媒体を示す、図９の溝付き媒体のウェブの斜視図である。
【図１１】図９及び図１０の媒体を使用して形成された、濾過媒体パックの一部の斜視図である。
【図１２】実装形態に従って構築されて配置された溝付き媒体のウェブの平面図であり、ウェブは濾過媒体パックを形成するためのものである。
【図１３】刻み目を付けて部分的に折り畳んだ媒体を示す、実装形態に従って構築されて配置された図１２の溝付き媒体のウェブの斜視図である。
【図１４】図１２及び図１３の媒体を使用して形成された、濾過媒体パックの一部の斜視図である。
【図１５】様々な実装形態に従って構築されて配置された溝付き媒体のウェブの平面図であり、ウェブは濾過媒体パックを形成するためのものである。
【図１６】刻み目を付けて部分的に折り畳んだ媒体を示す、様々な実装形態に従って構築されて配置された図１５の溝付き媒体のウェブの斜視図である。
【図１７】図１５及び図１６の媒体を使用して形成された、濾過媒体パックの一部の斜視図である。
【図１８】様々な実装形態に従って構築されて配置された溝付き媒体のウェブの平面図であり、ウェブは濾過媒体パックを形成するためのものである。
【図１９】刻み目を付けて部分的に折り畳んだ媒体を示す、様々な実装形態に従って構築されて配置された図１８の溝付き媒体のウェブの斜視図である。
【図２０】折り畳んだ媒体を示す、様々な実装形態に従って構築されて配置された図１８の溝付き媒体のウェブの斜視図である。
【図２１】図１８及び図１９の溝付き媒体のウェブを使用して形成された、濾過要素の斜視図である。
【発明を実施するための形態】
【００１８】
本技術は様々な修正及び代替の形の影響を受けやすいが、その具体例が例示及び図面を介して示されており、詳しく記載される。しかし本技術は、記載された特定の実施形態に限定されないことを理解されたい。逆に、本発明の精神及び範囲内に収まる修正形態、等価物、及び代替形態を網羅することが意図される。
【００１９】
本出願は、濾過媒体、媒体パック、及び濾過要素を対象とする。「濾過媒体」は、流体を濾過するように構成される材料を記載するために本明細書では使用される。「濾過媒体のシート」は、単一層を形成する濾過媒体の一部として定義される。「媒体パック」は、入口、出口、及び入口から媒体の少なくとも１つのシートを通って出口に延在する流体通路を累積的に画定する、層状構成における媒体の複数のシートを指す。「濾過要素」は、典型的にはシール部材、支持枠、ハンドル、又は他の構造などの追加の構成要素で流体を濾過するために、システムの中に設置するように構成される媒体パックを指す。本明細書で使用する場合、「溝」は、用語「波形」と同義であり、波形は一連の交互に細長い畝／頂部、及び細長い窪み／谷部を指す。
【００２０】
一部の実装形態では、媒体パック内の溝付き濾過媒体のシートは、溝が媒体の隣接したシート上の溝に断続的に接触するように、媒体パック内の溝付き濾過媒体の隣接したシート上に画定された溝から角度オフセットした溝を画定する。溝は、傾斜して湾曲した溝であることが可能である。様々な実装形態において、本明細書に開示された技術と一致する媒体パックは、入口面及び出口面を画定する襞付き折り目を備えた襞付き構造を有する。様々な他の実装形態では、本明細書に開示された技術と一致する媒体パックは層状の溝付きシート構造を有し、交互に対のシートは、入口から濾過媒体の少なくとも１つのシートを通って出口まで流体経路を画定するために、入口面及び出口面に向かって密封される。一部の実装形態では、本明細書に開示された技術と一致する媒体パックは、巻き付けた断面を有する円筒状である。
【００２１】
現行の技術は濾過媒体パックに関する。濾過媒体パックは、濾過媒体の第１のシート及び濾過媒体の第２のシートを有する。濾過媒体の第１のシートは、媒体パックの第１の面と媒体パックの第２の面との間に延在する第１の溝谷部を画定する、第１の複数の平行な溝を有する。濾過媒体の第２のシートは、媒体パックの第１の面と媒体パックの第２の面との間に延在する第２の溝頂部を画定する、第２の複数の平行な溝を有する。第１の複数の溝は、第２の複数の溝に非平行である。各第１の溝谷部は、離散接触点で１つの第２の溝頂部に接触する。濾過媒体の第１のシートと濾過媒体の第２のシートとの間の障害物は、濾過媒体の第１のシート及び濾過媒体の第２のシートを通って平行に延在する流体経路を画定する。
【００２２】
一部の実施形態では、少なくとも１つの第１の溝谷部は、２つの第２の溝頂部に接触する。一部の実施形態では、少なくとも１つの第１の溝谷部は、３つの第２の溝頂部に接触する。一部の実施形態では、少なくとも１つの第１の溝谷部は、４つの第２の溝頂部に接触する。一部の実施形態では、少なくとも１つの第１の溝谷部は、４つの第２の溝頂部に接触するが、９つ以下の第２の溝頂部に接触する。
【００２３】
追加として又は別法として、第１の複数の溝及び第２の複数の平行な溝のそれぞれは、媒体パックの第１の面及び第２の面に垂直ではない。追加として又は別法として、第１の複数の溝は、第２の複数の溝に対して少なくとも５度だけオフセットされる。追加として又は別法として、第１の複数の溝は、第２の複数の溝に対して少なくとも１０度だけオフセットされる。追加として又は別法として、第１の複数の溝は、第２の複数の溝に対して少なくとも２０度だけオフセットされる。追加として又は別法として、第１の複数の溝は実質的に真っ直ぐである。追加として又は別法として、第２の複数の溝は実質的に真っ直ぐである。
【００２４】
追加として又は別法として、第１の複数の溝のそれぞれは、媒体パックの第１の面と第２の面との間に湾曲を画定する。追加として又は別法として、第１の複数の溝内の溝の頂部の湾曲は、溝の各端部で頂部に接合する軸から外方に溝の長さの少なくとも５％だけ延在する。追加として又は別法として、第１の複数の溝内の溝の頂部の湾曲は、溝の各端部で頂部に接合する軸から外方に溝の長さの少なくとも１０％だけ延在する。追加として又は別法として、第１の複数の溝内の溝の頂部の湾曲は、溝の各端部で頂部に接合する軸から外方に溝の長さの少なくとも２０％だけ延在する。
【００２５】
追加として又は別法として、第２の複数の溝は湾曲している。追加として又は別法として、第１の複数の溝は第１の湾曲を形成し、第２の複数の溝は第２の湾曲を形成し、第１の湾曲は第２の湾曲の屈曲ピッチの反対側に屈曲ピッチを有する。追加として又は別法として、濾過媒体の第１のシート及び濾過媒体の第２のシートは連続しており、折り目によって分離される。追加として又は別法として、第１の媒体シート及び第２の媒体シートは、巻き付けた断面を備えた円筒状媒体パックを画定する。追加として又は別法として、第１の媒体シート及び第２の媒体シートは不連続である。追加として又は別法として、第１の媒体シート及び第２の媒体シートは、巻き付けた断面を備えた円筒状媒体パックを画定する。追加として又は別法として、障害物は、第１の媒体シートと第２の媒体シートとの間の接着ビードである。追加として又は別法として、濾過媒体パックは少なくとも約４０溝／インチ２の溝の密度を提示する。
【００２６】
追加として又は別法として、媒体パックは、媒体パックの上流容積が下流容積より少なくとも１０％大きいように非対称の容積配置を有する。追加として又は別法として、媒体パックは、媒体パックの片側の容積が媒体パックの別の側の容積より少なくとも３０％大きいように非対称の容積配置を有する。追加として又は別法として、媒体パックは、媒体パックの周辺に延在するシール部材を有する。
【００２７】
現行の技術の一部の実施形態は、濾過媒体が濾過媒体の複数のシートを画定するために第１の組の襞折り目と第２の組の襞折り目との間に延在するように、媒体パックの入口面を形成する第１の組の襞折り目及び媒体パックの出口面を形成する第２の組の襞折り目を有する、濾過媒体を有する襞付き濾過媒体パックに関する。複数の溝は濾過媒体の各シートによって画定され、この場合、各溝は媒体パックの入口面と出口面との間に延在する。濾過媒体のシートは、媒体パックの入口面から媒体パックの出口面に延在する襞端部を有する。襞端部は第１の側面及び第２の側面を画定し、この場合、第１の側面及び第２の側面は互いに対向する。このような実施形態では、入口面は出口面と実質的に平行であり、第１の側面は第２の側面と実質的に平行であるが、第１の側面は入口面と９０°未満の角度で交差する。
【００２８】
一部のこのような実施形態では、濾過媒体のシートによって画定された複数の溝は平行である。追加として又は別法として、濾過媒体の第１のシートによって画定された第１の複数の溝は、濾過媒体の隣接した第２のシートによって画定された第２の複数の溝に非平行である。
【００２９】
一部の実施形態では、第１の複数の溝のそれぞれは、媒体パックの入口面と出口面との間に延在する第１の溝頂部を画定し、第２の複数の溝のそれぞれは、媒体パックの入口面と出口面との間に延在する第２の溝頂部を画定し、各第１の溝頂部は離散点で１つの第２の溝頂部に接触する。追加として又は別法として、少なくとも１つの第１の溝頂部は、２つの第２の溝谷部に接触する。追加として又は別法として、少なくとも１つの第１の溝頂部は、３つの第２の溝谷部に接触する。追加として又は別法として、少なくとも１つの第１の溝頂部は、４つの第２の溝谷部に接触する。追加として又は別法として、少なくとも１つの第１の溝頂部は、２つの第２の溝谷部に接触するが、９つ以下の第２の溝谷部に接触する。
【００３０】
追加として又は別法として、第１の複数の溝は、第２の複数の溝に対して少なくとも５度だけ角度オフセットされる。追加として又は別法として、第１の複数の溝は、第２の複数の溝に対して少なくとも１０度だけ角度オフセットされる。追加として又は別法として、第１の複数の溝は、第２の複数の溝に対して少なくとも２０度だけ角度オフセットされる。追加として又は別法として、第１の複数の溝は実質的に真っ直ぐである。追加として又は別法として、第２の複数の溝は実質的に真っ直ぐである。
【００３１】
追加として又は別法として、媒体パックは、媒体パックの片側の容積が媒体パックの別の側の容積より少なくとも１０％大きいように非対称の容積配置を有する。追加として又は別法として、媒体パックは、媒体パックの片側の容積が媒体パックの別の側の容積より少なくとも５０％大きいように非対称の容積配置を有する。追加として又は別法として、媒体パックは、媒体パックの周辺に延在するシール部材を有する。他の実施形態も開示されている。
【００３２】
次に図面を参照すると、図１は、実装形態に従って構築された配置された濾過要素１０の斜視図を提供する。一部の実施形態と一致するこの具体的な実装形態では、濾過要素１０は、濾過媒体の第１のシート１６及び濾過媒体の第２のシート１７を含む、濾過媒体の複数のシートを有する媒体パック１５を有する。濾過要素１０は、第１の面２０、第２の面３０（第１の面２０の反対側）、並びに４つの側面３２、３４、３６、及び３８を有する。第１の面２０は入口であることが可能であり、第２の面３０は出口であることが可能であるが、一部の実施形態では、第１の面２０は出口であることが可能であり、第２の面３０は入口であることが可能である。シール部材４０は媒体パック１５の周辺に延在する。シール部材４０は、４つの側面３２、３４、３６、及び３８が第１の面２０に収束する場所に隣接した第１の面２０の外周に当接する。一部の実施形態では、シール部材は第１の面２０又は第２の面３０から外方に突起することが可能である。
【００３３】
濾過要素１０は、概ね筐体の中に挿入するように構成され、濾過される流体（空気ストリームなど）は、第１の面２０で入り第２の面３０で濾過要素１０から出る、濾過要素１０の流体経路１２を通過する。図４を検討する際に以下により詳細に説明するように、流体経路１２は、濾過媒体の第１のシート１６及び／又は濾過媒体の第２のシート１７を通って平行に延在する。
【００３４】
図１の濾過要素１０は、複数の交互の溝付き媒体シート１６、１７から構築され、それらの例は図２及び３のそれぞれに描かれている。具体的には図２は、一部の実装形態に従って構築されて配置された濾過媒体の第１のシート５０の斜視図である。濾過媒体の第１のシート５０は、第１の媒体シート５０の第１の縁部５４と第２の縁部５６との間にそれぞれが延在する第１の複数の平行な溝５２を有する。描かれた実施形態における第１の縁部５４は、濾過要素１０の第１の面２０に対応する（図１）一方で、第２の縁部５６は、濾過要素１０の第２の面３０に対応する。従って第１の複数の溝５２は、媒体パック１５の第１の面２０と媒体パック１５の第２の面３０との間に延在する。
【００３５】
第１の複数の溝５２は、媒体パック１５の第１の面２０と第２の面３０との間に延在する（図１参照）第１の溝頂部５８及び第１の溝谷部５９を画定する。第１の溝頂部５８及び第１の溝谷部５９は、濾過媒体の第１のシート５０の対向する側部から突出する。第１の複数の複数の溝５２内の各溝は、第１の複数の溝５２内の残りの溝に平行である。溝は、少なくとも溝頂部と溝谷部が平行であるときに平行であると考えられる。
【００３６】
第１の複数の溝５２内の溝は、媒体パック１５の第１の面２０と第２の面３０との間で湾曲している（図１）。本明細書に言及されたような湾曲した溝は、概して溝が媒体パックの第１の面と媒体パックの第２の面との間で直線に沿って延在しないことを意味する。溝は、図２に描かれたような単一湾曲、又は媒体パックの第１の面と第２の面との間の複数の湾曲を画定することができる。溝の屈曲は、「屈曲ピッチ」の測定結果によって影響を及ぼされる可能性があり、例えば「屈曲ピッチ」の測定結果は、溝頂部が溝の各端部で頂部に接合する直線軸αから外方に延在する最大距離、例えば図２に描かれた距離Ｃ１などである。この屈曲は、溝の長さＬ１（図２参照）に対する絶対数（センチメートルなど）又は相対数で測定することができ、この場合、溝の長さは溝の一端から溝の反対側の端部まで溝頂部に沿って測定される。例えば屈曲ピッチは、ある特定の実施形態では溝の長さＬ１の少なくとも５％、１０％、又は２０％であることさえも可能である。
【００３７】
他の例では、屈曲ピッチは用語「溝ピッチ」Ｐ１（図２参照）を特徴とすることができ、「溝ピッチ」Ｐ１は濾過媒体のシート５０内の隣接した頂部間の距離である。一部の実施形態では、屈曲ピッチＣ１は、溝ピッチＰ１の少なくとも１０％だが溝ピッチＰ１の５０倍未満であることが可能である。一部の実施形態では、屈曲ピッチＣ１は、溝ピッチＰ１の１０％〜５０％である。一部の実施形態では、屈曲ピッチＣ１は、溝ピッチＰ１の４０％〜９０％である。一部の実施形態では、屈曲ピッチＣ１は、溝ピッチＰ１の８０％〜２００％である。一部の実施形態では、屈曲ピッチＣ１は、溝ピッチＰ１の３倍〜１０倍である。一部の実施形態では、屈曲ピッチＣ１は、溝ピッチＰ１の５倍〜２０倍である。一部の実施形態では、屈曲ピッチＣ１は、溝ピッチＰ１の２０倍〜５０倍である。
【００３８】
図３は、一部の実装形態に従って構築された配置された濾過媒体の第２のシート６０の斜視図である。濾過媒体の第２のシート６０は、濾過媒体の第２のシート６０の第１の縁部６４と第２の縁部６６（上記のように媒体パック１５の第１の面２０及び第２の面３０に対応する）との間に延在する第２の複数の溝６２を有する。第２の複数の溝６２は、媒体パック１５の第１の面２０と第２の面３０との間に延在する（図１）第２の溝頂部６８及び第２の溝谷部６９を画定する。第２の溝頂部６８及び第２の溝谷部６９は、濾過媒体の第２のシート６０の対向する側部から突出する。
【００３９】
様々な実施形態において、第２の複数の溝６２内の各溝は、第２の複数の溝６２内の残りの溝に平行である。第２の複数の溝６２内の溝は、媒体パック１５の第１の面２０と第２の面３０との間で湾曲する。湾曲は、図２を参照して上に記載された構成と一致することが可能である。一部の実施形態では、第２の複数の溝６２の屈曲ピッチは、第１の複数の溝５２の反対方向だが、第１の複数の溝５２の屈曲ピッチに等しくなる。
【００４０】
本明細書に記載された濾過媒体のシート内に画定された溝は、濾過媒体パックを通る流体流れ経路を画定するように構成することができる。濾過媒体パックを構築するために、交互の濾過媒体パックの第１のシート５０及び濾過媒体の第２のシート６０は、例えば２層を描く図４に示されたような層状である。具体的には図４は、図２の濾過媒体の第１のシート５０が、図３の濾過媒体の第２のシート６０上に積層されている媒体パックの斜視図である。濾過媒体の第２のシート６０上の溝の湾曲は、わかりやすくするために濾過媒体の第１のシート５０を通して描かれている。
【００４１】
濾過媒体の第１のシート５０の第１の複数の溝５２は、濾過媒体の第２のシート６０の第２の複数の溝６２に非平行である。第１の複数の溝５２は第１の湾曲を形成し、第２の複数の溝６３は第２の湾曲を形成する。一部の実施形態では、第１の湾曲の屈曲ピッチは、第２の湾曲の屈曲ピッチの反対である。濾過媒体の第１のシート５０は、離散点７０で濾過媒体の第２のシート６０に接触する。概して各第１の溝谷部５９は、離散点７０で１つの第２の溝頂部６８に接触する。一部の実施形態では、少なくとも１つの第１の溝谷部５９は、２つの離散点７０で１つの第２の溝頂部６８に接触する。一部の例では、少なくとも１つの第１の溝谷部は、２つの第２の溝頂部に接触する。一部の実施形態では、少なくとも１つの第１の溝谷部は、３つの第２の溝頂部に接触する。一部の実施形態では、少なくとも１つの第１の溝谷部は、４つの第２の溝頂部に接触する。一部の実施形態では、少なくとも１つの第１の溝谷部は、４つの第２の溝頂部に接触するが、９つ以下の第２の溝頂部に接触する。
【００４２】
様々な実施形態において、第１の媒体シート５０及び第２の媒体シート６０は、図１に描かれた濾過要素の第３の側部３６及び第４の側部３８に対応する、第３の縁部２７及び第４の縁部２８に沿って固定される。濾過媒体の第１のシート５０及び濾過媒体の第２のシート６０は、接着ビードなどの接着剤で、又は他の手法を通して固定することができ、これは媒体パックの第３の縁部と第４の縁部との間を流体が通過するのを妨害する。
【００４３】
第１の複数の溝５２及び第２の複数の溝６２は、例として媒体パックの第１の面２０から第２の面３０に向かって第１の媒体シート５０と第２の媒体シート６０との間に流体経路１２の上流部を累積的に画定する。障害物７２は、流体経路１２の上流部が媒体パックの第２の面３０に向かって妨害されるように、第１の媒体シート５０と第２の媒体シート６０との間に配列されるので、第１の面２０を通って流体経路の上流部（「入口」）に流入する流体は、濾過媒体の第１のシート５０及び／又は濾過媒体の第２のシート６０を通過して流体経路１２の下流部を通って媒体パック１５から出る。従って濾過媒体の第１のシート５０及び濾過媒体の第２のシート６０は、直列よりむしろ並列に流体経路１２に沿って配置される。同様に流体経路１２の下流（図示せず）は、濾過媒体の第１のシートと濾過媒体の第２のシートとの間で媒体パックの第１の面２０に向かって障害物を有する。図４におけるように濾過媒体のシートが不連続である場合、障害物は、隣接し合う媒体シートの間に接着ビードなどの接着剤を堆積することを通して構築することができる。
【００４４】
図１に描かれた濾過要素１０は、濾過媒体パック１５の第１の面２０に入る流体が、媒体パック１５の第２の面３０を通って出る前に濾過媒体を通過するように、上流面に向かう（及びこの図では見えないが下流面に向かう）媒体の交互に隣接した層の間の経路が、障害物２３を有する例を描く。
【００４５】
図５〜７は、図１の濾過要素１０と一致する交互に溝を付けた媒体シートの代替構成を描く。具体的には図５は、一部の実装形態に従って構築されて配置された濾過媒体の第１のシート１５０の斜視図である。濾過媒体の第１のシート１５０は、第１の媒体シート１５０の第１の縁部１５４と第２の縁部１５６との間にそれぞれが延在する、第１の複数の平行な溝１５２を有する。描かれた実施形態における第１の縁部１５４は濾過要素１０の第１の面２０に対応する（図１）一方で、第２の縁部１５６は濾過要素１０の第２の面３０に対応する（図１）。従って第１の複数の溝１５２は、媒体パックの第１の面２０と媒体パック１５の第２の面３０との間に延在する。
【００４６】
第１の複数の溝１５２は、媒体パック１５の第１の面２０と第２の面３０との間に延在する（図１参照）第１の溝頂部１５８及び第１の溝谷部１５９を画定する。第１の溝頂部１５８及び第１の溝谷部１５９は、濾過媒体の第１のシート１５０の対向する側部から突出する。第１の複数の溝１５２内の各溝は、第１の複数の溝１５２内の残りの溝に平行である。
【００４７】
第１の複数の溝１５２内の溝は、濾過要素１０の媒体パックの第１の面２０と第２の面３０との間で実質的に真っ直ぐである（図１参照）。本明細書に言及されたような実質的に真っ直ぐな溝は、溝頂部のそれぞれが媒体パックの第１の面と媒体パックの第２の面との間のそれぞれの長さの少なくとも９０％又は９５％に沿って直線を画定することを意味し、これは本明細書に更に論じる襞付き媒体パックを含む媒体パックを構築するときに、溝端部に起こる可能性がある歪の原因となる。
【００４８】
様々な実施形態において、第１の複数の溝１５２内の溝は、概ね媒体パック１５の第１の面２０及び媒体パック１５の第２の面３０に垂直ではない。一部の実施形態では、溝は、媒体パックの第１の面及び媒体パックの第２の面から少なくとも４５度だが９０度未満だけ角度オフセットされる。一部の実施形態では、溝は、媒体パックの第１の面及び媒体パックの第２の面から４５〜６０度、６０〜７５度、又は７５〜８５度だけ角度オフセットされる。一部の実施形態では、溝は、濾過媒体の第１のシート１５０の第１の縁部１５４及び第２の縁部１５６から角度オフセットされると記載することができる。一部の実施形態では、溝は、濾過媒体の第１のシート１５０の第１の縁部１５４及び第２の縁部１５６から少なくとも４５度、及び９０度未満だけ角度オフセットされる。一部の実施形態では、溝は、濾過媒体の第１のシート１５０の第１の縁部１５４及び第２の縁部１５６から４５〜６０度、６０〜７５度、又は７５〜８５度だけ角度オフセットされる。
【００４９】
少なくとも一部の代替実施形態では、第１の複数の溝１５２内の溝は、媒体パック１５の第１の面２０及び媒体パック１５の第２の面３０、並びに／又は濾過媒体の第１のシート１５０の第１の縁部１５４及び第２の縁部１５６に垂直である。
【００５０】
図６は、濾過媒体の第２のシート１６０の斜視図である。濾過媒体の第２のシート１６０は、第２の複数の平行な溝１６２を有し、それぞれは濾過媒体の第２のシート１６０の第１の縁部１６４と第２の縁部１６６との間に延在し、従って濾過要素１０の第１の面２０と第２の面３０との間に延在する（図１）。第２の複数の溝１６２は、媒体パック１５の第１の面２０と第２の面３０との間に延在する（図１参照）、第２の溝頂部１６８及び第２の溝谷部１６９を画定する。第２の溝頂部１６８及び第２の溝谷部１６９は、濾過媒体の第２のシート１６０の対向する側部から突出する。第２の複数の溝１６２内の各溝は、第２の複数の溝１６２内の残りの溝に平行である。
【００５１】
第２の複数の溝１６２内の溝は、濾過要素１０の媒体パック１５の第１の面２０と第２の面３０との間で実質的に真っ直ぐである（図１）。第２の複数の溝１６２内の溝は、媒体パック１５の第１の面２０及び媒体パック１５の第２の面３０に垂直ではない。第２の複数の溝１６２は、媒体パックの第１の面及び媒体パックの第２の面、並びに／又は濾過媒体の第２のシート１６０の第１の縁部１６４及び第２の縁部１６６から図５を参照して上に論じた同様の範囲だけ角度オフセットされることが可能である。
【００５２】
本明細書に記載された濾過媒体のシート内に画定された第１の複数の溝及び第２の複数の溝は、濾過媒体パックを通る流体流れ経路を画定するように構成することができる。濾過媒体パックを構築するために、交互の濾過媒体の第１のシート１５０及び濾過媒体の第２のシート１６０は、例えば２層を描く図７に示されたような層状である。具体的には図７は、図５の濾過シートの第１のシート１５０が、図６の濾過媒体の第２のシート１６０上に積層される媒体パックの斜視図である。濾過媒体の第２のシート１６０上の溝の拡張は、わかりやすくするために濾過媒体の第１のシート１５０を通して描かれている。
【００５３】
濾過媒体の第１のシート１５０の第１の複数の溝１５２は、濾過媒体の第２のシート１６０の第２の複数の溝１６２に非平行である。濾過媒体の第１のシート１５０は、概して離散接触点１７０で濾過媒体の第２のシート１６０に接触する。第１の複数の溝１５２は、第２の複数の溝１６２に対して少なくとも５度だけ角度オフセットされ、この場合、オフセット角α１は濾過媒体の第１のシート１５０の谷部１５９と濾過媒体の第２のシート１６０の頂部１６８との間でそれぞれの接触点１７０において測定することができる。一部の実施形態では、第１の複数の溝１５２は、第２の複数の溝１６２に対して５〜１５度だけ角度オフセットされる。一部の実施形態では、第１の複数の溝１５２は、第２の複数の溝１６２に対して少なくとも１０度だけ角度オフセットされる。一部の実施形態では、第１の複数の溝１５２は、第２の複数の溝１６２に対して１５〜３０度だけ角度オフセットされる。一部の実施形態では、第１の複数の溝１５２は、第２の複数の溝１６２に対して少なくとも２０度だけ角度オフセットされる。一部の構造では、第１の複数の溝１５２は、第２の複数の溝１６２に対して４０度未満だけ角度オフセットされる。
【００５４】
概して各第１の溝谷部１５９は、離散接触点１７０で１つの第２の溝頂部１６８に接触する。一部の例では、少なくとも１つの第１の溝谷部１５９は２つの第２の溝頂部１６８に接触する。一部の実施形態では、少なくとも１つの第１の溝谷部は、３つの第２の溝頂部に接触する。一部の実施形態では、少なくとも１つの第１の溝谷部は、４つの第２の溝頂部に接触する。一部の実施形態では、少なくとも１つの第１の溝谷部は、４つの第２の溝頂部に接触するが、９つ以下の第２の溝頂部に接触する。
【００５５】
様々な実施形態において、第１の媒体シート１５０及び第２の媒体シート１６０は、図１に描かれた濾過要素１０の第３の側部３６及び第４の側部３８に対応する、第３の縁部１２７及び第４の縁部１２８に沿って固定される。濾過媒体の第１のシート１５０及び濾過媒体の第２のシート１６０は、接着ビードなどの接着剤で、又は他の手法で固定することができ、これは媒体パックの第３の縁部１２７と第４の縁部１２８との間を流体が通過するのを妨害する。
【００５６】
第１の複数の溝１５２及び第２の複数の溝１６２は、例として媒体パックの第１の面２０から第２の面３０に向かって第１の媒体シート１５０と第２の媒体シート１６０との間に流体経路１２の上流部を累積的に画定する。障害物１７２は、流体経路１２の上流部が媒体パックの第２の面３０に向かってを妨害されるように、第１の媒体シート１５０と第２の媒体シート１６０との間に配列されるので、第１の面２０を通って流体経路１２の上流部（「入口」）に流入する流体は、濾過媒体の第１のシート１５０及び／又は濾過媒体の第２のシート１６０を通過して流体経路１２の下流部を通って媒体パックから出る。同様に図１に描かれた実施形態に見られ、先に記載されたように、障害物２３は、流体経路１２の下流部が媒体パック１００の第１の面２０に向かって妨害されるように、第１の媒体シート１６と第２の媒体シート１７との間に配列される。
【００５７】
図８は、本明細書に開示された技術と一致する別の例示的濾過要素１１０である。濾過要素１１０は、濾過媒体パック１１５及び媒体パック１１５の周辺に延在するシール部材１４０を有する。濾過媒体パック１１５は、第１の面１２０、第２の面１３０、及び４つの側面１３２、１３４、１３６、１３８を有する。第１の面１２０は入口であることが可能であり、第２の面１３０は出口であることが可能である。濾過要素１１０は筐体（図示せず）の中に挿入すれるように構成され、流体（空気ストリームなど）は、流体経路１１２を画定するために第１の面２０で濾過要素１０に入り、濾過媒体を通過し、第２の面１３０で濾過要素１１０から出る。
【００５８】
濾過要素１１０の媒体パック１１５は、濾過媒体の複数の第１のシート１５１及び濾過媒体の第２のシート１６１を有し、これらは媒体襞と呼ぶことができる。しかし先に記載された媒体パックとは違い、現行の例の媒体パック１１５は濾過媒体の連続したウェブから形成され、その例は図９〜１７に描かれており、以下に記載される。このような実施形態では、濾過媒体の第１のシート１５１及び濾過媒体の第２のシート１６１は、第１の組の襞折り目１８０及び第２の組の襞折り目１８２によって分離される。第１の組の襞折り目１８０は、流体経路が濾過媒体の第１のシート１５１及び濾過媒体の第２のシート１６１を通って延在するように、媒体パックの第１の面１２０に向かって濾過媒体の第１のシート１５１と濾過媒体の第２のシート１６１との間に障害物を形成する。同様に第２の組の襞折り目１８２は、流体経路が濾過媒体の第１のシート１５１及び濾過媒体の第２のシート１６１を通って延在するように、媒体パックの第２の面１３０に向かって濾過媒体の第１のシート１５１と濾過媒体の第２のシート１６１との間に障害物を形成する。
【００５９】
図９は、一部の実装形態に従って構築されて配置された溝付き媒体の連続したウェブ２００を描き、濾過媒体パックに形成される前の媒体のウェブ２００を描く。媒体のウェブ２００は、図８に示された媒体パックなどの媒体パックに形成される。媒体のウェブ２００の図９に示された実施形態は、複数の交互の第１の濾過媒体シート２５０及び第２の濾過媒体シート２６０を含み、これらは襞折り目の場所を画定する折り目線２８０、２８２によって分離される。第１の折り目線２８０は第１の組の襞折り目を表し、第２の折り目線２８２は第２の組の襞折り目を表し、この場合、第１の組の襞折り目は媒体パックの第１の面を形成するように構成され、第２の組の襞折り目は媒体パックの第２の面を形成するように構成される。現行の実施形態における、又本出願にわたって折り目線２８０、２８２は真っ直ぐに描かれているが、様々な実施形態において、折り目線は溝の輪郭を辿り溝の頂部及び谷部を反映するために直線から外れることを理解されたい。
【００６０】
濾過媒体の第１のシート２５０は、第１の折り目線２８０と第２の折り目線２８２との間に延在する第１の複数の平行な溝２５２を有する。第１の複数の溝２５２は、第１の溝頂部２５４及び第１の溝谷部２５６を画定する。一部の例と一致する現行の実施形態では、第１の複数の溝２５２は、第１の折り目線２８０と第２の折り目線２８２との間で湾曲している。溝の屈曲は、例えば溝頂部が溝の端部で頂部に接合する軸ｘ１から外方に延在する、図９に描かれた距離Ｄ２などの距離として測定することができる。距離Ｄ２は、図２におけるＤ１について上に記載された距離と一致することが可能である。
【００６１】
濾過媒体の第２のシート２６０は、第１の折り目線２８０と第２の折り目線２８２との間に延在する第２の複数の平行な溝２６２を有する。第２の複数の溝２６２は、第２の溝頂部２６４及び第２の溝谷部２６６を画定する。第２の複数の溝２６２は、第１の複数の溝２５２と同様の屈曲を有することができ、描かれたものを含む一部の実施形態では、第２の複数の溝２６２は、反対方向（図９におけるＤ３参照）だが第１の複数の溝２５２と等しい屈曲を有する。
【００６２】
濾過媒体の第１のシート２５０及び濾過媒体の第２のシート２６０は、図１０に示されたように折り目線２８０、２８２で互いの上に折り畳まれ、図１０は図９の溝付き媒体のウェブ２００の斜視図であり、媒体のウェブ２００は第１の折り目線２８０及び第２の折り目線２８２に沿って刻み目を付けて部分的に折り畳まれる。図１１に示されたように更に折り畳まれると、媒体は媒体パック２１０に形成される。濾過媒体の第１のシート２５０の一部は、わかりやすくするために濾過媒体の隣接した第２のシート２６０から引き離して描かれている。第１の組の襞折り目２８０は入口面２２０を形成し、第２の組の襞折り目２８２は出口面２３０を形成し、濾過媒体は、複数の媒体襞２４０を画定するために第１の組の襞折り目２８０と第２の組の襞折り目２８２との間に延在し、その場合、媒体襞は濾過媒体の第１のシート２５０及び濾過媒体の第２のシート２６０である。濾過媒体のシート２５０、２６０はそれらの襞端部２５８、２６８に沿って密封することができ、襞端部２５８、２６８は第１の組の襞折り目２８０又は第２の組の襞折り目２８２を形成しない濾過媒体のシート２５０、２６０の縁部を指す。媒体襞２４０のそれぞれによって画定された複数の溝２５２、２６２は、媒体パックの入口面２２０と出口面２３０との間に延在する。
【００６３】
第１の複数の溝２５２及び第２の複数の溝２６２は、濾過媒体のシート２５０と２６０との間の接触点を低減するために非平行である。概して各第１の溝谷部２５６は、離散接触点で１つの第２の溝頂部に接触する。一部の実施形態では、少なくとも１つの第１の溝谷部２５６は２つの離散点で１つの第２の溝頂部２６６に接触する。一部の例では、少なくとも１つの第１の溝谷部は、２つの第２の溝頂部に接触する。一部の実施形態では、少なくとも１つの第１の溝谷部は、３つの第２の溝頂部に接触する。一部の実施形態では、少なくとも１つの第１の溝谷部は、４つの第２の溝頂部に接触する。一部の実施形態では、少なくとも１つの第１の溝谷部は、４つの第２の溝頂部に接触するが、９つ以下の第２の溝頂部に接触する。一部の実施形態では、第１の複数の溝２５２は第１の湾曲を形成し、第２の複数の溝２６２は第２の湾曲を形成し、第１の湾曲は第２の湾曲の屈曲ピッチの反対側に屈曲ピッチを有する。
【００６４】
図１２は、濾過媒体パックに形成される前の、一部の実装形態に従って構築されて配置された溝付き媒体の別の例示的ウェブ３００の平面図である。図１３は、刻み目を付けて部分的に折り畳まれた溝付き媒体のウェブ３００を描き、図１４は媒体パック３１０に折り畳まれたウェブ３００を描く。媒体パック３１０は、図８に示された濾過要素などの濾過要素内に組み込むことができる。ウェブ３００、ひいては媒体パック３１０は、折り目線３８０、３８２によって分離された交互の濾過媒体の第１のシート３５０及び濾過媒体の第２のシート３６０を有する。濾過媒体の第１のシート３５０及び濾過媒体の第２のシート３６０は、互いに対して連続しており、折り目３８０によって分離される。
【００６５】
濾過媒体の第１のシート３５０は、媒体パック３１０の第１の面３２０と媒体パック３１０の第２の面３３０との間に延在する、第１の溝頂部３５４及び第１の溝谷部３５６を画定する第１の複数の平行な溝３５２を有する。濾過媒体の第２のシート３６０は、媒体パック３１０の第１の面３２０と媒体パック３１０の第２の面３３０との間に延在する、第２の溝頂部３６４及び第２の溝谷部３６６を画定する第２の複数の平行な溝３６２を有する。濾過媒体の第１のシート３５０は第１の襞端部３５８を有し、濾過媒体の第２のシート３６０は第２の襞端部３６８を有し、その場合、第１の襞端部３５８及び第２の襞端部３６８は密封することができる。第１の複数の溝３５２及び第２の複数の溝３６２は実質的に真っ直である。
【００６６】
一部の実施形態では、第１の複数の溝３５２内の溝は、概して媒体パック３１０の第１の面３２０及び媒体パック３１０の第２の面３３０に垂直ではないが、一部の他の実施形態では、第１の複数の溝３５２内の溝は、媒体パック３１０の第１の面３２０及び媒体パック３１０の第２の面３３０に垂直である。第２の複数の溝３６２内の溝は、概して媒体パック３１０の第１の面３２０及び媒体パック３１０の第２の面３３０に垂直ではない。
【００６７】
追加として又は別法として、溝角度（例えば図１２における角度α２参照）は、折り目線３８０、３８２に沿って媒体を折り畳むことにより溝の歪が存在する程度の溝の端部を無視して、溝頂部３４４と折り目線３８２との間で測定することができる。第１の折り目線３８０及び第２の折り目線３８２に対する第１のシート３５０及び第２のシート３６０のそれぞれの溝角度は、溝と濾過媒体のシートの第１の縁部１５４と第２の縁部１５６との間の図５を参照して上に論じたのと同じ角度範囲を有することができる。
【００６８】
第１の複数の溝３５２及び第２の複数の溝３６２は非平行である。第１の複数の溝３５２及び第２の複数の溝３６２は、図７を参照して上に記載されたように角度オフセットすることができる。
【００６９】
オフセットした溝の配向により、溝は互いに溝頂部及び隣接した溝谷部に接触する。例えば概ね各第１の溝谷部３５６は、離散接触点で１つの第２の溝頂部３６４に接触する。概ね各第１の溝谷部３５６は、離散接触点３７０で１つの第２の溝頂部３６４に接触する。一部の例では、少なくとも１つの第１の溝谷部３５６は、２つの第２の溝頂部３６４に接触する。一部の実施形態では、少なくとも１つの第１の溝谷部は、３つの第２の溝頂部に接触する。一部の実施形態では、少なくとも１つの第１の溝谷部は、４つの第２の溝頂部に接触する。一部の実施形態では、少なくとも１つの第１の溝谷部は、４つの第２の溝頂部に接触するが、９つ以下の第２の溝頂部に接触する。
【００７０】
図１５は、実装形態に従って構築されて配置された溝付き媒体のウェブ４００の平面図である。媒体のウェブ４００は、図１７に描かれた襞付き濾過媒体パック４１０に形成するように構成される。図１６は、折り目線４８０、４８２に沿って一部が折り畳まれた媒体のウェブ４００を描く。媒体のウェブ４００、ひいては媒体パック４１０は、折り目線４８０、４８２によって分離された交互の濾過媒体の第１のシート４５０及び濾過媒体の第２のシート４６０を有する。折り目線４８０、４８２は、折り目線４８０、４８２が媒体のウェブ４００の襞端部４８４に垂直ではないように、ウェブ横断方向に対してわずかに回転される。
【００７１】
濾過媒体の第１のシート４５０は、襞付き濾過媒体パック４１０の第１の面４２０と襞付き濾過媒体パック４１０の第２の面４３０との間に延在する、第１の溝頂部４５４及び第１の溝谷部４５６を画定する第１の複数の平行な溝４５２を有する。濾過媒体の第２のシート４６０は、媒体パック４１０の第１の面４２０と媒体パック４１０の第２の面４３０との間に延在する、第２の溝頂部４６４及び第２の溝谷部４６６を画定する第２の複数の平行な溝４６２を有する。第１の複数の溝４５２及び第２の複数の溝４６２は実質的に真っ直である。
【００７２】
第１の複数の溝４５２内の溝は、概して媒体パック４１０の第１の面４２０及び媒体パック４１０の第２の面４３０に垂直ではなく、この場合、媒体パック４１０の第１の面及び媒体パック４１０の第２の面４３０は、第１の襞織り目４８０及び第２の襞織り目４８２のそれぞれによって画定される。第２の複数の溝４６２内の溝は、概して媒体パック４１０の第１の面４２０及び媒体パック４１０の第２の面４３０に垂直ではない。第１の複数の溝４５２及び第２の複数の溝４６２は媒体パック４１０内で非平行であるが、第１の複数の溝４５２及び第２の複数の溝４６２は濾過媒体のウェブ４００上で平行である。第１の複数の溝４５２及び第２の複数の溝は、図７を参照して上に記載されたように角度オフセットすることができる。
【００７３】
オフセットされた溝の配向により、溝は互いに隣接した媒体襞に溝頂部及び隣接した溝谷部のみで接触する。例えば概ね各第１の溝谷部４５６は、離散接触点で１つの第２の溝頂部４６４に接触する。概ね各第１の溝谷部４５８は、離散接触点４７０で１つの第２の溝頂部４６８に接触する。一部の例では、少なくとも１つの第１の溝谷部４５６は、２つの第２の溝頂部４６４に接触する。一部の実施形態では、少なくとも１つの第１の溝谷部は、３つの第２の溝頂部に接触する。一部の実施形態では、少なくとも１つの第１の溝谷部は、４つの第２の溝頂部に接触する。一部の実施形態では、少なくとも１つの第１の溝谷部は、４つの第２の溝頂部に接触するが、９つ以下の第２の溝頂部に接触する。
【００７４】
図１７の媒体パック４１０は、複数の媒体襞を画定するために襞付き媒体が往復する配置で、折り目線４８０の間に延在する濾過媒体を有する。複数の溝は媒体襞のそれぞれによって画定され、溝は溝の一端から溝の反対側の端部までの長さを有し、これは媒体パック４１０の入口面４２０と出口面４３０との間に延在する。濾過媒体の襞端部４８４は、媒体パックの入口面４２０から媒体パックの出口面４３０に延在し、第１の側面４１２及び第２の側面４１４を形成する。第１の側面４１２及び第２の側面４１４は互いに対向する。入口面４２０は出口面４３０と実質的に平行である一方で、第１の側面４１２は第２の側面４１４と実質的に平行であり、第１の側面４１２は入口面４２０に９０°未満の角度で交差する。従ってこの構成では、媒体パック４１０の各襞は平行四辺形の形状を画定する。
【００７５】
図１８は、一部の実装形態に従って構築されて配置された溝付き媒体のウェブ５００の平面図である。図１９は、刻み目を付けて部分的に折り畳まれた配置における図１８の溝付き媒体のウェブ５００の斜視図である。図２０は、折り畳まれた配置における溝付き媒体のウェブ５００の斜視図であり、図２１は、図１８及び１９の媒体を使用して形成された濾過要素５１０の斜視図であり、この場合、媒体ウェブ５００は、折り目線５８０に沿って折り畳まれ、濾過要素５１０に対して円筒状媒体パック５１５に巻かれ、媒体縁部５９０、５９２は、濾過要素５１０の第１の面５２０を画定し、襞付き折り目５８０は濾過要素５１０の第２の面５３０を画定する。巻いた円筒状濾過要素５１０において、媒体は巻き付けた断面を有する。
【００７６】
濾過媒体ウェブ５００は、濾過媒体の第１のシート５５０及び濾過媒体の第２のシート５６０並びに中心折り目線５８０を有する。従って濾過媒体の第１のシート５５０及び濾過媒体の第２のシート５６０は連続しており、折り目５８０によって分離される。濾過媒体の第１のシート５５０は第１の襞５８２を画定することができ、濾過媒体の第２のシート５６０は第２の襞５８４を画定することができる。折り目５８０は、濾過媒体の第１のシート５５０と濾過媒体の第２のシート５６０との間に延在し、濾過媒体の第１のシート５５０及び濾過媒体の第２のシート５６０を平行に通る流体経路５１２を画定するために、媒体の第１のシート５５０と濾過媒体の第２のシート５６０との間に障害物を形成する。図２０において流体経路５１２は濾過媒体の第１のシート５５０を通過するように描かれているが、流体経路５１２は濾過媒体の第２のシート５６０も通って延在する。障害物５７２は、濾過媒体の第１のシート５５０の外表面と濾過媒体の第２のシート５６０の外表面との間のギャップを同様に密封するので、濾過要素５１０の第１の面５２０及び第２の面５３０を通過する流体は、まず濾過媒体５１５を通過しなければならず、濾過媒体５１５は濾過媒体の第１のシート５５０及び濾過媒体の第２のシート５６０を含む。障害物５７２は、一部の実施形態では第１の流面５２０に向かって位置付けることができる。障害物は、流体が媒体パックの外周の辺り及び巻き付けた媒体パック５１０の中央開口などを通って流れないように、濾過媒体内のあらゆる他のギャップ内に配列することもできる。
【００７７】
濾過媒体の第１のシート５５０は、媒体パック５１５の第１の面５２０と媒体パック５１５の第２の面５３０との間に延在する、第１の溝頂部５５４及び第１の溝谷部５５６を画定する第１の複数の平行な溝５５２を有する。濾過媒体の第２のシート５６０は、媒体パック５１５の第１の面５２０と媒体パック５１５の第２の面５３０との間に延在する、第２の溝頂部５６４及び第２の溝谷部５６６を画定する第２の複数の平行な溝５６２を有する。第１の複数の溝５５２は第２の複数の溝５６２に非平行である。各第１の溝谷部５５６は、概して離散接触点で１つの第２の溝頂部５６４に接触し、各溝谷部５５６は、追加の第２の溝頂部５６４、及び恐らく本出願において前に記載されたように具体的には第２の溝頂部５６４上の追加の離散接触点に接触することができる。
【００７８】
現行の例では、第１の複数の溝５５２及び第２の複数の溝５６２はそれぞれが湾曲している。このような実施形態では、それぞれの湾曲の屈曲は、図２〜４及び９〜１１を参照して上に記載された屈曲と一致することが可能である。一部の代替実施形態では、第１の複数の溝５５２及び第２の複数の溝５６２は実質的に真っ直である。一部のこのような実施形態では、第１の複数の溝も第２の複数の溝もどちらも、媒体パックの第１の面及び第２の面に垂直ではない。第１の複数の溝５５２及び第２の複数の溝５６２が実質的に真っ直ぐである実施形態では、第１の複数の溝５５２は、図７及び１２〜１４を参照して上に記載された実施形態と一致する第２の複数の溝５６２から角度オフセットすることができる。
【００７９】
濾過媒体の第１のシート５５０及び濾過媒体の第２のシート５６０は、現行の実施形態では連続しており、折り目５８０によって分離されているが、同様に円筒状濾過要素構造を有する一部の他の実装形態では、濾過媒体の第１のシート５５０及び濾過媒体の第２のシート５６０は、不連続であり、例えば接着剤によって一緒に接合される。
【００８０】
本明細書に描かれた実施形態では、濾過媒体の第１のシート及び濾過媒体の第２のシートは、どちらも真っ直ぐ又は湾曲した溝のいずれかを画定する。しかし一部の実施形態では、濾過媒体の第１のシートは、本明細書の真っ直ぐな溝の記載と一致する真っ直ぐな溝を画定し、濾過媒体の第２のシートは、本明細書の湾曲した溝の記載と一致する湾曲した溝を画定することが認識されよう。
【００８１】
濾過媒体パックの性能は、数個の設計基準から選択することによって変更又は修正することができる。用語「性能」は、概して増加された寿命、増加された積載能力、低減された圧力降下、増加された流れ、低減された大きさ又は容積、その他の少なくとも１つを指す。例えば濾過媒体パックは、ある特定の現在入手可能な濾過媒体パックに比べて高められた性能を提供するために、特定の用途のために設計することができる。性能を高めることは、例えば遮蔽、溝の幅と高さの比、溝の長さ、溝の密度、溝の形状、溝の先細、及び溝の容積の非対称性の１つ又は複数を制御することからもたらすことができる。あらゆるこれらの技法は、所望の特性を有する濾過媒体パックを提供するために、単独で又は組み合わせて使用することができる。
【００８２】
濾過媒体パックによって濾過することができる流体には、気体状物質及び液体状物質が含まれる。濾過することができる例示的気体状物質には空気が含まれる。濾過することができる例示的液体状物質には、水、油、燃料、及び油圧流体が含まれる。濾過媒体パックによって濾過される流体の例示的型には空気が含まれる。しかし濾過媒体パックは、他の気体状物質及び他の液体状物質を濾過するために使用することができることを理解されたい。
【００８３】
一部の実施形態では、本明細書に開示された技術によって企図された溝は、溝の長さに沿って先細にすることができる。概して先細は、溝の長さに沿った溝の大きさの低減又は増加を指す。概して先細である濾過媒体は、媒体の第１の端部から媒体の第２の端部に大きさが低減する第１の組の溝、及び媒体の第１の端部から媒体の第２の端部に大きさが増加する第２の組の溝を提示することができる。一部の濾過媒体は、溝の長さに沿って先細ではないと考えられる領域、及び先細であると考えられる領域を含有することができる。
【００８４】
場合によっては、入口及び出口のそれぞれは概ね平面であることが可能であり、２つは互いに平行である。しかしこのことからの変化、例えば非平面が一部の用途では可能である。更に入口流面及び反対側の出口流面の特徴は、入口流面及び出口流面が平行である必要はない。入口流面及び出口流面は、所望の場合に互いに平行であるように提供することができる。別法として、入口流面及び出口流面は、面が平行でないように互いに対して斜めに提供することができる。加えて非平面は非平行である面であると考えることができる。
【００８５】
概して媒体を横切る圧力降下への言及は、媒体の第２の面で測定された圧力に対する媒体の第１の面で決定された圧力差を指し、第１の面及び第２の面は、概して溝の対向する端部に提供される。
【００８６】
比較的高い溝の濃度を有する濾過媒体を提供するために、所望の圧力降下を維持する一方で、溝の長さは低減することができる。溝の長さは、濾過媒体の第１の面から濾過媒体の第２の面までの距離を指す。ある特定の実装形態では、溝の長さは、０．３７５インチを超え、別法として０．５インチを超え、１インチを超え、又は２インチを超える。例示的構成は、３インチを超え、４インチを超え、又は６インチを超える溝の長さを有する。任意選択として溝の長さは、８インチ、１０インチ、又は１２インチを超える。一部の構造では、溝の長さは、１２インチ未満、１０インチ未満、８インチ未満、６インチ未満、４インチ未満、又は２インチ未満である。
【００８７】
一部の実施形態では、濾過媒体パックは、以下の公式に従って少なくとも３５．０溝／インチ２の溝の密度を提示する。
【数１】
2020531242.tif 000003
一部の実施形態では、濾過媒体パックは、３〜７０溝／インチ２の溝の密度を提示する。一部の実施形態では、濾過媒体パックは、４〜１０溝／インチ２又は２０〜６０溝／インチ２の溝の密度を有する。一部の実施形態では、濾過媒体パックは、３０〜５０溝／インチ２の溝の密度を有する。一部の実施形態では、濾過媒体パックは、７０溝／インチ２未満の溝の密度を有する。
【００８８】
現行の技術の一部の実施形態は、溝の容積の非対称性を有することができる。溝の容積の非対称性は、上流容積と下流容積との間の濾過要素の容積差を指す。上流容積は、濾過されていない流体を受領する濾過媒体のシートの間の容積を指し、下流容積は、上流側から濾過媒体を通過した濾過された流体を受領する濾過媒体のシートの間の容積を指す。一部の実施形態では、下流容積より大きい上流容積を有する濾過要素を提供することが望ましい可能性がある。空気を濾過する場合、空気内の微粒子は上流側に堆積され、その結果、濾過媒体の収容能力は上流側の容積に関連する可能性があることが見られる。一部の実装形態では、容積の非対称性を提供することにより、流入する流体を受領するために利用可能な容積を増加することができ、それによって媒体パックの収容能力を増加することができる。
【００８９】
溝の容積の非対称性を有する濾過媒体は、上流容積と下流容積との間の差が１０％を超えるときに存在する。任意選択で溝の容積の非対称性を提示する媒体は、約１０％を超え、約２０％を超え、３０％を超え、好ましくは約５０％を超える溝の容積の非対称性を有する。溝の容積の非対称性に対する例示的範囲は、約３０％〜約２５０％、及び約５０％〜約２００％を含む。
【００９０】
溝の容積の非対称性を有する濾過媒体は、標準の溝又は先細の溝の存在からもたらすことができる。更に比較的対称の先細の溝（例えば相対的に同じ程度にそれぞれの方向に先細の溝）を有する媒体は、溝の容積の非対称性がない（容積の非対称性が１０％未満）媒体を提供することができる。従って先細の溝の有無は、非対称の容積の配置の有無を示唆せず又は意味しない。標準の溝の配置（例えば先細ではない）を有する媒体は、非対称の容積の配置を提示することも、しないこともある。
【００９１】
本明細書に記載された濾過媒体は、様々な型の繊維及び繊維の組合せから構築することができる。一部の実施形態では、濾過媒体は、セルロース繊維、ガラス繊維、及び高分子繊維の１つ又は複数を有する。媒体は樹脂を含有することができる。溝形成工程の間に、媒体は樹脂のガラス転移点より高く加熱することができる。樹脂が冷却すると、樹脂は溝の形状を維持する助けとなる。
【００９２】
媒体は、例えば参照により本明細書に組み込まれた、米国特許第６，９５５，７７５号明細書、第６，６７３，１３６号明細書、及び第７，２７０，６９３号明細書に従って、その片側上又は両側に微細繊維材料を備えることができる。概して微細繊維は高分子微細繊維（マイクロファイバ及びナノファイバ）と呼ぶことができ、濾過性能を改善するために媒体上に提供することができる。媒体上に微細繊維が存在する結果、低減した重量若しくは厚さを有する一方で、所望の濾過特性を獲得する媒体を提供することが可能であり、又は望ましいことがある。それに応じて媒体上に微細繊維が存在することにより、高められた濾過特性を提供でき、より薄い媒体の使用を提供でき、又は両方が可能である。微細繊維のような特徴の繊維は、約０．００１ミクロン〜約１０ミクロン、約０．００５ミクロン〜約５ミクロン、又は約０．０１ミクロン〜約０．５ミクロンの直径を有することができる。ナノファイバは、２００ナノメートル、すなわち０．２ミクロン未満の直径を有する繊維を指す。マイクロファイバは、０．２ミクロン超だが１０ミクロン以下の直径を有する繊維を指すことができる。微細繊維を形成するために使用することができる例示的材料は、ポリ塩化ビニリデン、ポリビニルアルコール高分子、並びに様々なナイロンを含む共重合体、例えばナイロン６、ナイロン４，６、ナイロン６，６、ナイロン６，１０及びそれらの共重合体など、ポリ塩化ビニル、ＰＶＤＣ、ポリスチレン、ポリアクリロニトリル、ＰＭＭＡ、ＰＶＤＦ、ポリアミド、並びにそれらの混合物を含む。
【００９３】
上記明細書は、本発明の完全な記載を提供する。本発明の多くの実施形態は本発明の精神及び範囲から逸脱することなく作成できるので、本発明は以下に添付の特許請求の範囲に帰する。
【図１】
2020531242.tif 000004
【図２】
2020531242.tif 000005
【図３】
2020531242.tif 000006
【図４】
2020531242.tif 000007
【図５】
2020531242.tif 000008
【図６】
2020531242.tif 000009
【図７】
2020531242.tif 000010
【図８】
2020531242.tif 000011
【図９】
2020531242.tif 000012
【図１０】
2020531242.tif 000013
【図１１】
2020531242.tif 000014
【図１２】
2020531242.tif 000015
【図１３】
2020531242.tif 000016
【図１４】
2020531242.tif 000017
【図１５】
2020531242.tif 000018
【図１６】
2020531242.tif 000019
【図１７】
2020531242.tif 000020
【図１８】
2020531242.tif 000021
【図１９】
2020531242.tif 000022
【図２０】
2020531242.tif 000023
【図２１】
2020531242.tif 000024
【国際調査報告】
2020531242.tif 000025
2020531242.tif 000026
2020531242.tif 000027
2020531242.tif 000028